(57)【要約】  クリーニング不要な節水洗濯機及びその制御方法であって、クリーニング不要な節水洗濯機は、外槽（１００）と、回転可能に外槽（１００）内に設けられる内槽（２００）と、内槽（２００）に接続されて内槽を回転駆動する内槽軸（７０２）、を含む。洗浄／すすぎ過程では、前記内槽（２００）が注水槽となり、内槽（２００）と外槽（１００）の間には水が存在しない。前記内槽（２００）の底部には排水孔（２０４）が開設されている。前記内槽（２００）の底部外側には封水装置が設けられる。封水装置は、内槽軸（７０２）の外側にそれぞれ覆設される封水ユニット及び牽引リングユニット（５００）を含む。封水ユニットは、内槽（２００）の底部に装着されて内槽（２００）と共に回転可能である。牽引リングユニット（５００）は、封水ユニットに対し相対的に回転可能に接続される。前記牽引リングユニット（５００）は、封水ユニットが内槽（２００）の軸方向に運動して排水孔（２０４）を開放／閉止するよう牽引可能である。当該クリーニング不要な節水洗濯機は、内槽（２００）の底部に排水孔（２０４）が設けられ、封水装置が排水孔（２０４）の開放／閉止を制御することで、洗濯機の洗浄／すすぎ過程において、内槽（２００）には注水されるが、内槽（２００）と外槽（１００）の間は無水となるよう確保する。【選択図】  図１
2019536544.tif 000002
【特許請求の範囲】
【請求項１】
外槽と、回転可能に外槽内に設けられる内槽と、内槽に接続されて内槽を回転駆動する内槽軸、を含み、洗浄／すすぎ過程において、前記内槽が注水槽となり、内槽と外槽の間には水が存在しないクリーニング不要な節水洗濯機において、
前記内槽の底部には排水孔が開設されており、
前記内槽の底部外側には封水装置が設けられ、
封水装置は、内槽軸の外側にそれぞれ覆設される封水ユニット及び牽引リングユニットを含み、封水ユニットは、内槽の底部に装着されて内槽と共に回転可能であり、牽引リングユニットは、封水ユニットに対し相対的に回転可能に接続され、
前記牽引リングユニットは、封水ユニットが内槽の軸方向に運動して排水孔を開放／閉止するよう牽引可能であることを特徴とするクリーニング不要な節水洗濯機。
【請求項２】
前記内槽は、内槽底及び内槽底に接続される内槽フランジを含み、内槽フランジの中央には内槽軸を接続するための接続部が備わっており、
前記排水孔は、接続部の外部における内槽底及び／又は内槽フランジに設けられることを特徴とする、請求項１に記載のクリーニング不要な節水洗濯機。
【請求項３】
前記封水ユニットは封水カバーを含み、封水カバーは内槽軸の外側に覆設され、封水カバーは、内槽の軸方向に運動可能に内槽の底部外側に装着され、封水カバーには、排水孔に係合する封水栓が設けられていることを特徴とする、請求項１又は２に記載のクリーニング不要な節水洗濯機。
【請求項４】
前記封水カバーは、環状のカバー体と、環状のカバー体の周方向に設けられる複数の接続アームを含み、環状のカバー体は内槽軸の外側に覆設され、接続アームには装着孔が開設されており、前記封水栓は環状のカバー体の内部に設けられ、
前記封水ユニットは、柱状の装着部材と弾性部材を更に含み、柱状の装着部材は、装着孔に挿通されて封水カバーを内槽の底部外側に装着し、弾性部材は一端が固定されており、他端が封水カバーに当接することで排水孔の閉止を維持することを特徴とする、請求項３に記載のクリーニング不要な節水洗濯機。
【請求項５】
前記弾性部材は圧縮バネであり、前記圧縮バネは柱状の装着部材に覆設され、圧縮バネは、一端が柱状の装着部材に当接し、他端が封水カバーの接続アームに当接することを特徴とする、請求項４に記載のクリーニング不要な節水洗濯機。
【請求項６】
前記牽引リングユニットは環状体と牽引ロッドを含み、前記環状体が封水カバーに覆設され、封水カバーは、内槽の軸方向における環状体の抜け落ちを規制する位置規制部を備え、
前記牽引ロッドは環状体の周方向に配置され、牽引ロッドは、一端が環状体に接続されると共に、他端が牽引ロッドを内槽の軸方向に運動するよう駆動可能な駆動装置に接続されることを特徴とする、請求項３〜５のいずれかに記載のクリーニング不要な節水洗濯機。
【請求項７】
前記駆動装置は外槽の底部外側に設けられ、
前記外槽の底部には案内柱孔が開設されており、前記牽引ロッドが案内柱孔に挿通されて駆動装置に接続され、
前記牽引ロッドと案内柱孔の間は、コルゲート密封カバーを設けることで密封することを特徴とする、請求項６に記載のクリーニング不要な節水洗濯機。
【請求項８】
前記駆動装置は、同軸に設けられる電磁コイルと環状の磁性体を含み、前記牽引ロッドが環状の磁性体に接続されることを特徴とする、請求項６又は７に記載のクリーニング不要な節水洗濯機。
【請求項９】
前記内槽の側壁のうち洗濯機の最高水位よりも低い領域は、孔の無い槽壁となっていることを特徴とする、請求項１に記載のクリーニング不要な節水洗濯機。
【請求項１０】
請求項１〜９のいずれかに記載のクリーニング不要な節水洗濯機の制御方法であって、
洗濯機の洗浄／すすぎ過程では、封水ユニットが排水孔の閉止を維持することで内槽と外槽の間を無水に維持し、
洗濯機の排水過程では、牽引リングユニットが内槽の軸方向に運動し、牽引リングユニットが封水ユニットの運動を牽引することで、排水孔が開放されて排水するよう制御し、
洗濯機の脱水過程では、封水ユニットが位置復帰して排水孔の閉止を維持することを特徴とする制御方法。
【発明の詳細な説明】
【技術分野】
【０００１】
本発明は洗濯機の技術分野に関し、具体的には、クリーニング不要な節水洗濯機及びその制御方法に関する。
【背景技術】
【０００２】
従来の洗濯機は、ハウジングと、ハウジング内に設けられる外槽及び内槽を含み、内槽が回転可能に外槽内に設けられている。衣類の脱水機能を実現するために、内槽の槽壁には脱水孔が全面に配置されている。そのため、衣類の洗浄時には洗浄水が脱水孔から内槽と外槽の間に流入するが、これらの洗浄水は十分に活用されないため水資源が無駄となる。
【０００３】
また、内槽と外槽の間に水が存在するとの問題に起因して、内槽の外壁、外槽の内壁及び内槽と外槽の間といった領域に垢が発生し、使用者の衣類を汚染することから、ユーザの洗濯体験に重大な影響が及ぶ。
【０００４】
上記の課題を解決するために、従来の洗濯機は、内槽の槽壁に孔を備えないことを主な構造的特徴としている。この場合、洗浄時には内槽のみに水が存在し、内槽と外槽の間には水が存在しなくなる。よって、洗濯時の水の使用量が節約されるだけでなく、内槽と外槽の間の垢の発生が根絶されることから、衣類の汚染が回避され、洗浄効果が向上する結果、ユーザエクスペリエンスが高まる。
【０００５】
上記の洗浄時に内槽と外槽の間に水が存在しない洗濯機は、内槽の槽壁に孔が存在しないことから、従来の排水方式では排水を実現できない。且つ、一定期間使用するうちに、内槽に孔が存在しないことに起因して、洗浄後の泥砂等の異物が速やかに排出されず、ユーザの洗濯効果に支障をきたす恐れがある。
【０００６】
上記に鑑みて、本発明を提案する。
【発明の概要】
【発明が解決しようとする課題】
【０００７】
上記の課題を解決するために、本発明の第１の目的は、クリーニング不要な節水洗濯機を提供することである。具体的には、以下の技術方案を採用する。
【課題を解決するための手段】
【０００８】
クリーニング不要な節水洗濯機であって、外槽と、回転可能に外槽内に設けられる内槽と、内槽に接続されて内槽を回転駆動する内槽軸、を含み、洗浄／すすぎ過程において、前記内槽が注水槽となり、内槽と外槽の間には水が存在せず、前記内槽の底部には排水孔が開設されており、前記内槽の底部外側には封水装置が設けられ、封水装置は、内槽軸の外側にそれぞれ覆設される封水ユニット及び牽引リングユニットを含み、封水ユニットは、内槽の底部に装着されて内槽と共に回転可能であり、牽引リングユニットは、封水ユニットに対し相対的に回転可能に接続され、前記牽引リングユニットは、封水ユニットが内槽の軸方向に運動して排水孔を開放／閉止するよう牽引可能である。
【０００９】
更に、前記内槽は、内槽底及び内槽底に接続される内槽フランジを含み、内槽フランジの中央には内槽軸を接続するための接続部が備わっており、前記排水孔は、接続部の外部における内槽底及び／又は内槽フランジに設けられる。
【００１０】
更に、前記封水ユニットは封水カバーを含み、封水カバーは内槽軸の外側に覆設され、封水カバーは、内槽の軸方向に運動可能に内槽の底部外側に装着され、封水カバーには、排水孔に係合する封水栓が設けられている。
【００１１】
更に、前記封水カバーは、環状のカバー体と、環状のカバー体の周方向に設けられる複数の接続アームを含み、環状のカバー体は内槽軸の外側に覆設され、接続アームには装着孔が開設されており、前記封水栓は環状のカバー体の内部に設けられ、前記封水ユニットは、柱状の装着部材と弾性部材を更に含み、柱状の装着部材は、装着孔に挿通されて封水カバーを内槽の底部外側に装着し、弾性部材は一端が固定されており、他端が封水カバーに当接することで排水孔の閉止を維持する。
【００１２】
更に、前記弾性部材は圧縮バネであり、前記圧縮バネは柱状の装着部材に覆設され、圧縮バネは、一端が柱状の装着部材に当接し、他端が封水カバーの接続アームに当接する。
【００１３】
更に、前記牽引リングユニットは環状体と牽引ロッドを含み、前記環状体が封水カバーに覆設され、封水カバーは、内槽の軸方向における環状体の抜け落ちを規制する位置規制部を備え、前記牽引ロッドは環状体の周方向に配置され、牽引ロッドは、一端が環状体に接続されると共に、他端が牽引ロッドを内槽の軸方向に運動するよう駆動可能な駆動装置に接続される。
【００１４】
更に、前記駆動装置は外槽の底部外側に設けられ、前記外槽の底部には案内柱孔が開設されており、前記牽引ロッドが案内柱孔に挿通されて駆動装置に接続され、前記牽引ロッドと案内柱孔の間はコルゲート密封カバーを設けることで密封する。
【００１５】
更に、前記駆動装置は、同軸に設けられる電磁コイルと環状の磁性体を含み、前記牽引ロッドが環状の磁性体に接続される。
【００１６】
更に、前記内槽の側壁のうち洗濯機の最高水位よりも低い領域は、孔の無い槽壁となっている。
【００１７】
本発明の第２の目的は、クリーニング不要な節水洗濯機の制御方法を提供することである。具体的には、以下の技術方案を採用する。
【００１８】
上記いずれかに記載のクリーニング不要な節水洗濯機の制御方法であって、洗濯機の洗浄／すすぎ過程では、封水ユニットが排水孔の閉止を維持することで内槽と外槽の間を無水に維持し、洗濯機の排水過程では、牽引リングユニットが内槽の軸方向に運動し、牽引リングユニットが封水ユニットの運動を牽引することで、排水孔が開放されて排水するよう制御し、洗濯機の脱水過程では、封水ユニットが位置復帰して排水孔の閉止を維持する。
【００１９】
本発明におけるクリーニング不要な節水洗濯機は、洗浄／すすぎ過程において前記内槽に注水するが、内槽と外槽の間には水を存在させない。即ち、本発明における洗濯機の内槽は槽壁に孔を有さない非漏水型内槽である。内部に投入される水は衣類の洗浄に用いられる。この場合、洗濯時の水の使用量が節約されるだけでなく、内槽と外槽の間の垢の発生が根絶されることから、衣類の汚染が回避され、洗浄効果が向上する結果、ユーザエクスペリエンスが高まる。
【００２０】
本発明におけるクリーニング不要な節水洗濯機は、内槽の底部に排水孔が設けられ、封水装置が排水孔の開放／閉止を制御することで、洗濯機の洗浄／すすぎ過程において、内槽には注水されるが、内槽と外槽の間は無水となるよう確保する。
【００２１】
本発明における封水装置の封水ユニットは、内槽に装着されて共に回転する。これにより、封水ユニットと排水孔との相対位置が固定されるため、排水孔の閉止／開放時には、封水ユニットを牽引して内槽の軸方向に運動させるだけでよく、位置決め操作が不要なことから、簡単且つ便利であり、実現しやすい。牽引リングユニットは封水ユニットの外側に覆設されており、且つ、内槽に付随する封水ユニットの回転に支障をきたすことがない。封水ユニットは、牽引リングユニットが内槽の軸方向に封水ユニットを牽引したときにのみ共に運動し、排水孔を開放して排水する。牽引リングユニットは、封水ユニットを牽引した際であっても、内槽に付随する封水ユニットの回転を邪魔しない。
【００２２】
したがって、本発明の封水装置は、構造がシンプルであり、実現しやすい。また、コスト削減を効果的に実現可能であり、市場における先行きが良好である。
【００２３】
本発明におけるクリーニング不要な節水洗濯機の制御方法では、洗浄／すすぎ過程においては牽引リングが動作せず、封水ユニットが内槽と共に回転することで排水孔の閉止が維持されて、内槽と外槽の間が無水となる。また、排水過程では、牽引リングユニットが引っ張り力を受けて内槽の軸方向に運動し、封水ユニットを牽引することで、排水孔が開放されて排水される。また、脱水過程では、牽引リングユニットにかかる力が停止され、封水ユニットが位置復帰して排水孔の閉止が維持される。
【図面の簡単な説明】
【００２４】
【図１】図１は、本発明におけるクリーニング不要な節水洗濯機の原理図である。
【図２】図２は、本発明におけるクリーニング不要な節水洗濯機の分解図である。
【図３】図３は、本発明におけるクリーニング不要な節水洗濯機の内槽と外槽の装着構造を底部から見た図である。
【図４】図４は、本発明におけるクリーニング不要な節水洗濯機の内槽の装着構造を上部から見た図である。
【図５】図５は、本発明におけるクリーニング不要な節水洗濯機の内槽の装着構造を底部から見た図である。
【図６】図６は、本発明におけるクリーニング不要な節水洗濯機の内槽の装着構造の断面図である。
【図７】図７は、本発明におけるクリーニング不要な節水洗濯機の封水装置の組付図である。
【図８】図８は、本発明におけるクリーニング不要な節水洗濯機の封水カバーの上部立体構造を示す図である。
【図９】図９は、本発明におけるクリーニング不要な節水洗濯機の封水カバーの底部立体構造を示す図である。
【図１０】図１０は、本発明におけるクリーニング不要な節水洗濯機の牽引リングユニットの上部立体構造を示す図である。
【図１１】図１１は、本発明におけるクリーニング不要な節水洗濯機の牽引リングユニットの底部立体構造を示す図である。
【図１２】図１２は、本発明におけるクリーニング不要な節水洗濯機の封水ケースカバーの上部立体構造を示す図である。
【図１３】図１３は、本発明におけるクリーニング不要な節水洗濯機の封水ケースカバーの底部立体構造を示す図である。
【発明を実施するための形態】
【００２５】
以下に、図面を組み合わせて、本発明におけるクリーニング不要な節水洗濯機及びその制御方法につき詳述する。
【実施例１】
【００２６】
図１〜図６に示すように、本実施例のクリーニング不要な節水洗濯機は、外槽１００と、回転可能に外槽１００内に設けられる内槽２００と、内槽２００に接続されて内槽を回転駆動する内槽軸７０２、を含む。洗浄／すすぎ過程では、前記内槽２００が注水槽となり、内槽２００と外槽１００の間には水が存在しない。前記内槽２００の底部には排水孔２０４が開設されている。前記内槽２００の底部外側には封水装置が設けられる。封水装置は、内槽軸７０２の外側にそれぞれ覆設される封水ユニット及び牽引リングユニット５００を含む。封水ユニットは、内槽２００の底部に装着されて内槽と共に回転可能である。牽引リングユニット５００は、封水ユニットに対し相対的に回転可能に接続される。前記牽引リングユニット５００は、封水ユニットが内槽の軸方向に運動して排水孔２０４を開放／閉止するよう牽引可能である。
【００２７】
本実施例の封水ユニットは、洗浄／すすぎ過程において、洗浄水が内槽２００と外槽１００の間の領域に進入することのないよう、排水孔２０４の閉止を維持する。これにより、槽間が無水に維持されるため、垢が繁殖してユーザの衣類を汚染するとの事態が回避される。一方、排水過程において、牽引リングユニットは、引っ張り力を受けて内槽の軸方向に運動することで封水ユニットを牽引し、排水孔２０４を開放する。これにより、排水が実現されるだけでなく、洗浄過程における泥砂等の異物を排出可能なことから、内槽の内部が清潔に保たれる。
【００２８】
本実施例における封水装置の封水ユニットは、内槽２００に装着されて共に回転する。これにより、封水ユニットと排水孔２０４との相対位置が固定されるため、排水孔２０４の閉止／開放時には、封水ユニット５００を牽引して内槽の軸方向に運動させるだけでよく、位置決め操作が不要なことから、簡単且つ便利であり、実現しやすい。牽引リングユニット５００は封水ユニットの外側に覆設されており、且つ、内槽に付随する封水ユニットの回転に支障をきたすことがない。封水ユニットは、牽引リングユニットが内槽の軸方向に封水ユニットを牽引したときにのみ共に運動し、排水孔２０４を開放して排水する。牽引リングユニット５００は、封水ユニットを牽引した場合であっても、内槽に付随する封水ユニットの回転を邪魔しない。
【００２９】
本実施例の封水装置は、洗浄過程において、牽引リングユニット５００が力を受けず、封水ユニットが排水孔２０４の閉止を維持した状態となる。牽引リングユニット５００は封水ユニットの外側に覆設され、且つ、封水ユニットと間隔を置いて配置される。これにより、封水ユニットは内槽２００と共に回転して排水孔２０４の閉止を維持しつつ、牽引リングユニット５００とは接触しないことから、摩擦及び騒音の発生が回避される。
【００３０】
図２に示すように、本実施例のクリーニング不要な節水洗濯機において、前記内槽２００は、内槽底及び内槽底に接続される内槽フランジ２０３を含む。内槽フランジ２０３の中央には、内槽軸７０２を接続するための接続部が備わっている。前記排水孔２０４は、接続部の外部における内槽底及び／又は内槽フランジ２０３に設けられる。本実施例では、排水孔２０４を内槽２００の底部のうち内槽軸７０２の接続領域以外の領域に設けることで、内槽軸７０２の外側に覆設される封水ユニットとの連携を実現可能とする。
【００３１】
好ましくは、前記接続部は内槽フランジ２０３の中央に設けられる減速器装着孔であり、前記排水孔２０４は、減速器装着孔の外周に設けられる。好ましくは、排水要求を満たすべく、排水孔２０４は１〜６個設けられる。
【００３２】
本実施例の好ましい実施形態として、本実施例の封水ユニットは封水カバー４００を含む。封水カバー４００は内槽軸７０２の外側に覆設される。また、封水カバー４００は、内槽の軸方向に運動可能に内槽２００の底部外側に装着される。封水カバー４００には、排水孔２０４に係合する封水栓４０７が設けられている。
【００３３】
具体的には、図８及び図９に示すように、本実施例の封水カバー４００は、環状のカバー体と、環状のカバー体の周方向に設けられる複数の接続アーム４０１を含む。環状のカバー体は内槽軸７０２の外側に覆設される。接続アーム４０１には装着孔４０５が開設されている。また、前記封水栓４０７は環状のカバー体の内部に設けられている。前記封水栓４０７は排水孔の位置及び数量にそれぞれ対応しており、好ましくは、前記封水栓４０７を１〜６個設ける。
【００３４】
図２に示すように、本実施例における前記封水ユニットは、柱状の装着部材２０２と弾性部材を更に含む。柱状の装着部材２０２は、装着孔４０５に挿通されて封水カバー４００を内槽２００の底部外側に装着する。弾性部材は一端が固定されており、他端が封水カバー４００に当接することで排水孔２０４の閉止を維持する。本実施形態における封水カバー４００は、柱状の装着部材２０２を介して内槽２００の底部に装着される。また、封水カバー４００は柱状の装着部材２０２に対し上下に運動可能なことから、封水カバー４００の接続アーム４０１の肉厚は、柱状の装着部材２０２の長さよりも小さくなっている。
【００３５】
好ましくは、環状のカバー体の周方向に均一に配置される少なくとも３つの前記接続アーム４０１を含み、柱状の装着部材２０２と接続アーム４０１の数を同一とする。これにより、内槽２００の底部に対する封水カバー４００の装着安定性が保証されると共に、封水カバー４００の周方向への回転が規制される。結果、封水カバー４００の封水栓４０７と排水孔２０４との対向が保証されるため、排水孔２０４の開閉を制御するとの目的が実現される。
【００３６】
本実施例の好ましい実施形態として、前記弾性部材は圧縮バネ１７００である。前記圧縮バネ１７００は柱状の装着部材２０２に覆設される。圧縮バネ１７００は、一端が柱状の装着部材２０２に当接し、他端が封水カバー４００の接続アーム４０１に当接する。本実施例では、圧縮バネ１７００が封水カバー４００を付勢することで、封水栓４０７により排水孔２０４が密封される。排水を要する場合には、牽引リングユニット５００が封水栓４０７を下方に運動させるよう牽引することで、封水栓４０７が排水孔２０４から離脱し、排水孔２０４が開放されて排水する。
【００３７】
本実施例の好ましい実施形態として、前記牽引リングユニット５００は、環状体５０１と牽引ロッド５０３を含む。前記環状体５０１は封水カバー４００に覆設される。封水カバー４００は、内槽の軸方向における環状体５０１の抜け落ちを規制する位置規制部を備える。前記牽引ロッド５０３は、環状体５０１の周方向に配置される。牽引ロッド５０３は、一端が環状体５０１に接続されると共に、他端が、牽引ロッド５０３を内槽の軸方向に運動するよう駆動可能な駆動装置に接続される。
【００３８】
牽引リングユニット５００による封水カバー４００の牽引を実現するために、前記牽引リングユニット５００の環状体５０１は、内側に向かって延伸するよう位置規制端壁５０４を形成している。また、前記封水カバー４００の環状カバー体の外壁には、環状リブを隆起させることで突設リング４０２が形成されている。前記封水カバー４００の環状カバー体における突設リング４０２以外の領域の外径は、位置規制端壁５０４の内径よりも小さくなっている。これにより、牽引リングユニット５００に対する封水カバー４００の回転を保証可能としている。また、前記封水カバー４００の環状カバー体における突設リング４０２の外径は、位置規制端壁５０４の内径よりも大きい。これにより、牽引リングユニット５００が内槽の軸方向に運動して封水カバー４００の運動を牽引するよう保証可能としている。
【００３９】
更に、前記外槽１００の底部には案内柱孔１０５が開設されており、前記牽引ロッド５０３が案内柱孔１０５に挿通されて駆動装置に接続される。前記牽引ロッド５０３と案内柱孔１０５の間は、コルゲート密封カバー１９００を設けることで密封する。本実施例において、駆動装置は外槽１００の外部に装着されるため、水の進入が回避され、密封の必要もない。また、牽引ロッド５０３を外槽１００の外部まで挿通し、且つコルゲート密封カバー１９００で動的に密封することから、漏水現象の発生が回避される。
【００４０】
更に、前記牽引ロッド５０３には位置規制突起５０２が設けられている。コルゲート密封カバー１９００が位置規制突起５０２に当接することで、コルゲート密封カバー１９００の抜け落ちが規制され、密封性が確保される。
【００４１】
本実施例の好ましい実施形態として、本実施例の前記駆動装置は、同軸に設けられる電磁コイル１５００と環状の磁性体２０００を含み、前記牽引ロッド５０３が環状の磁性体２０００に接続される。具体的には、電磁コイル１５００と環状の磁性体２０００を同軸上に覆設すればよい。電磁コイル１５００は固定し、環状の磁性体２０００は、電磁コイル１５００の上部に間隔を置いて設けると共に、軸に対し摺動可能とする。これにより、電磁コイル１５００が通電して磁場が形成されると、環状の磁性体２０００が電磁コイル１５００から磁場の力を受けて吸引され、軸方向に下方へと摺動する結果、牽引リングユニット５００が環状の磁性体２０００に付随して下方へ運動する。
【００４２】
本実施例の前記内槽２００の側壁のうち洗濯機の最高水位よりも低い領域は、孔の無い槽壁となっている。そのため、本実施例における内槽フランジ２０３、内槽底及び槽体によって漏水しない内槽が規定される。また、前記槽体上部の投入口にはバランスリングが装着される。槽体と槽底及び内槽フランジ２０３によって漏水しない内槽が構成され、内部に水が満たされて衣類の洗浄に用いられる。
【００４３】
本実施例における脱水孔の設置位置によれば、洗浄／すすぎ時には洗浄水が脱水孔から排出されることはないが、脱水時には、分離された水が脱水孔から外槽に排出されると共に、更に排出される。
【００４４】
本実施例の槽体におけるバランスリング寄りの一端には脱水孔が周設されている。バランスリングの内側部分は槽体の内部に伸入し、脱水孔がちょうどバランスリングに向き合うよう設けられる。このように、バランスリングによって当該脱水孔が覆われることから、内槽は孔が存在しないような見た目を維持可能である。
【００４５】
本実施例の洗濯機は、減速クラッチを更に含む。減速クラッチは、内槽軸７０２及びパルセータ軸７０１を含む。前記パルセータ軸７０１は外槽１００の底部と内槽２００の底部を貫通し、内槽２００の底部に設けられるパルセータ３００に接続される。パルセータ軸７０１はパルセータを回転させ、洗浄水を攪拌することで衣類洗浄を行う。内槽軸７０２は、パルセータ軸７０１の外側に覆設されるブッシュである。内槽軸７０２は、内槽２００を回転させるべく、外槽１００の底部を貫通して内槽２００の内槽フランジ２０３に固定接続される。
【００４６】
本実施例における外槽１００の底部には排水口１０１が設けられる。前記排水口１０１は排水管８００に接続されて、洗浄水を洗濯機の外部に排出する。
【００４７】
このほか、本実施例におけるクリーニング不要な節水洗濯機は、給水過程において、計量や超音波検出等の方式で水位を検出可能である。
【００４８】
且つ、本実施例におけるクリーニング不要な節水洗濯機の制御方法では、洗濯機の洗浄／すすぎ過程において、封水ユニットが排水孔の閉止を維持することで、内槽と外槽の間を無水に維持する。また、洗濯機の排水過程では、牽引リングユニットが内槽の軸方向に運動し、牽引リングユニットが封水ユニットの運動を牽引することで、排水孔が開放されて排水するよう制御する。また、洗濯機の脱水過程では、封水ユニットが位置復帰して排水孔の閉止を維持する。
【００４９】
本実施例におけるクリーニング不要な節水洗濯機の制御方法では、洗浄／すすぎ過程において、内槽と外槽の間が無水に維持されることから、洗濯時の水の使用量が節約されるだけでなく、内槽と外槽の間における垢の繁殖が根絶される。よって、衣類の汚染が回避され、洗浄効果が向上する結果、ユーザエクスペリエンスが高まる。
【００５０】
また、排水過程では、牽引リングユニットが内槽の軸方向に運動し、牽引リングユニットが封水ユニットの運動を牽引することで、排水孔が開放されて排水するよう制御する。更に、洗浄過程における泥砂等の異物も排出可能となるため、内槽の内部が清潔に保たれる。
【００５１】
また、洗濯機の脱水過程では、封水ユニットが位置復帰して排水孔の閉止を維持することで、牽引リングユニット５００と封水カバー４００の接触による摩耗が回避される。よって、脱水過程の安定が維持されると共に、騒音の発生を根絶させられる。
【００５２】
本実施例の脱水過程では、水が内槽上方の脱水孔から遠心力により外槽１００へと吐き出され、外槽１００の排水口１０１から排出される。
【実施例２】
【００５３】
図１〜図１３に示すように、本実施例のクリーニング不要な節水洗濯機は、外槽１００と、回転可能に外槽１００内に設けられる内槽２００と、内槽２００に接続されて内槽を回転駆動する内槽軸７０２、を含む。洗浄／すすぎ過程では、前記内槽２００が注水槽となる。前記内槽２００の底部には、排水孔２０４が開設されている。前記内槽２００の底部外側には封水装置が設けられる。封水装置は、内槽軸の外側にそれぞれ覆設される封水ユニット及び牽引リングユニット５００を含む。前記牽引リングユニット５００は、封水ユニットに対し相対的に回転可能に接続される。牽引リングユニット５００は、封水ユニットが内槽２００の軸方向に運動して排水孔２０４を開放／閉止するよう牽引可能である。前記封水ユニットは、一端が内槽に密封接続されると共に、他端が牽引リングユニット５００に牽引されて外槽１００に対し密封接続／切断される。また、水位検出装置を更に含む。水位検出装置の検出端は封水ユニットの内部に連通している。
【００５４】
本実施例の水位検出装置は、封水ユニットの内部に連通している。給水過程において、牽引リングユニット５００が封水ユニットを内槽の軸方向に運動させて排水孔を開放するよう制御し、洗浄水が封水ユニットの内部に進入すると、水位検出装置による水位検出が実現される。
【００５５】
また、封水ユニットは、一端が内槽に密封接続されると共に、他端が牽引リングユニットに牽引されて外槽に対し密封接続又は切断される。これにより、水は封水ユニットの内部にのみ進入するため、洗浄水が内槽２００と外槽１００の間の封水ユニットの内部以外の領域に存在するとの事態が回避される。この場合、洗濯時の水の使用量が節約されるだけでなく、内槽と外槽の間の垢の発生が根絶されることから、衣類の汚染が回避され、洗浄効果が向上する結果、ユーザエクスペリエンスが高まる。
【００５６】
具体的に、本実施例における前記封水ユニットは封水カバー４００を含む。封水カバー４００は内槽軸７０２の外側に覆設される。また、封水カバー４００は、内槽の軸方向に運動可能に内槽２００の底部外側に装着される。封水カバー４００は、一端が内槽２００に密封接続されると共に、他端が牽引リングユニットに牽引されて外槽１００に密封接続される。前記封水カバー４００には、排水孔に係合する封水栓４０７が設けられている。
【００５７】
更に、封水ユニットと内槽２００の密封接続を実現するために、本実施例における前記内槽２００の底部外側には環状の封水リブ２０１が設けられ、前記排水孔２０４が環状の封水リブ２０１の内側に設けられる。前記封水カバー４００のうち内槽の底部寄りの一端には環状の凹溝４０８が開設されており、前記環状の封水リブ２０１が前記環状の凹溝４０８に挿入されることで密封接続がなされる。且つ、封水カバー４００が内槽の軸方向に運動する過程では、環状の封水リブ２０１が環状の凹溝４０８内に保持されたままで運動及び封水がなされる。
【００５８】
或いは、本実施例における前記封水カバー４００のうち内槽２００の底部寄りの一端には弾性コルゲート密封カバーが設計されている。前記弾性コルゲート密封カバーは内槽の底部に固定及び密封接続される。
【００５９】
具体的に、本実施例における前記封水カバーは、環状のカバー体と、環状のカバー体の周方向に設けられる複数の接続アーム４０１を含む。環状のカバー体は内槽軸７０２の外側に覆設される。接続アーム４０１には装着孔４０５が開設されている。また、前記封水栓４０７は環状のカバー体の内部に設けられている。
【００６０】
前記封水ユニットは、柱状の装着部材２０２と弾性部材を更に含む。柱状の装着部材２０２は、装着孔に挿通されて封水カバー４００を内槽２００の底部外側に装着する。弾性部材は一端が固定されており、他端が封水カバー４００に当接することで排水孔の閉止を維持する。
【００６１】
前記環状の凹溝４０８は、環状のカバー体のうち内槽の底部寄りの一端に設けられる。
【００６２】
本実施例における環状のカバー体は、内槽の底部寄りの一端に、同心に設けられる上部環状内カバー体４０３と上部環状外カバー体４０６を含む。上部環状内カバー体４０３と上部環状外カバー体４０６の底部は、接続リブを介して接続される。また、上部環状内カバー体４０３と上部環状外カバー体４０６の間には、環状の凹溝４０８が形成される。
【００６３】
更に、封水ユニットと外槽１００との密封接続を実現するために、前記封水装置は封水ケースカバー６００を更に含む。前記封水ケースカバー６００は、外槽１００の底部に密封装着されて水進入室を形成する。封水ケースカバー６００は接続口６０１を備え、前記封水カバーのうち外槽寄りの一端が前記封水ケースカバー６００の接続口６０１に挿入されることで密封接続がなされる。
【００６４】
本実施例の封水ケースカバー６００は、外槽１００に一体成型されて水進入室を形成してもよいし、封水ケースカバー６００を単独の部材とし、シールストリップ１８００を介して外槽１００の底部内壁に密封装着することで、封水ケースカバーと外槽１００の間に水進入室を形成してもよい。
【００６５】
水位検出装置による水位検出を実現するために、水位検出装置の検出端を水進入室に連通させる。
【００６６】
図１２及び図１３に示すように、本実施例の封水ケースカバー６００は、接続口６０１の一方の側に設けられるケースカバー６０２を含む。前記ケースカバー６０２は外槽１００の底部に密封接続されて水進入室を形成する。また、接続口６０１は水進入室に連通する。前記外槽１００の底部のうちケースカバー６０２に対応する位置には第１排水口１０３が設けられる。第１排水口１０３には第１排水弁１０００が装着され、第１排水弁１０００の排水端には洗濯機の排水管８００が接続される。本実施例では、水進入室を排水管８００に連通させ、第１排水弁１０００によって開閉を制御する。これにより、給水過程において封水カバー４００に進入した洗浄水の排出を実現可能とする一方、排水過程では第１排水弁１０００を開放することで、排水孔を開放して排水を可能とする。
【００６７】
更に、本実施例における外槽１００の底部が外側に凹陥することで封水凹溝１０２が形成される。前記封水ケースカバー６００は、封水凹溝１０２に密封装着されて水進入室を形成する。好ましくは、前記第１排水口１０３は封水凹溝１０２に設けられる。また、好ましくは、前記水位検出装置の検出端は、接続管１１００を介して封水凹溝１０２に接続される。前記封水凹溝１０２には、内槽軸７０２が挿通される内槽軸装着孔１０４が更に設けられている。
【００６８】
本実施例の好ましい実施形態として、水位検出装置は、ガス室１２００、導圧管１３００及び水位センサ１４００を含む。ガス室１２００の下端は封水ケースカバー内の水進入室に連通する。また、ガス室１２００のガス室ノズル１２０１は、導圧管１３００を介して水位センサ１４００に連通する。
【００６９】
本実施例の好ましい実施形態として、前記牽引リングユニット５００は環状体５０１と牽引ロッド５０３を含む。前記環状体５０１は封水カバー４００に覆設される。封水カバー４００は、内槽の軸方向における環状体５０１の抜け落ちを規制する位置規制部を備える。前記牽引ロッド５０３は、環状体５０１の周方向に配置される。牽引ロッド５０３は、一端が環状体５０１に接続されると共に、他端が、牽引ロッド５０３を内槽の軸方向に運動するよう駆動可能な駆動装置に接続される。
【００７０】
具体的に、前記駆動装置は外槽１００の底部外側に設けられる。前記外槽１００の底部には案内柱孔１０５が開設されており、前記牽引ロッド５０３が案内柱孔１０５に挿通されて駆動装置に接続される。前記牽引ロッド５０３と案内柱孔１０５の間は、コルゲート密封カバー１９００を設けることで密封する。
【００７１】
本実施例におけるクリーニング不要な節水洗濯機の制御方法では、洗濯機の給水過程において、牽引リングユニットが内槽の軸方向に運動し、牽引リングユニットが封水ユニットの運動を牽引することで排水孔を開放するよう制御して、封水ユニットの内部に水が進入すると、水位検出装置が水位を検出する。また、洗濯機の洗浄／すすぎ過程では、封水ユニットが排水孔の閉止を維持し、内槽を注水槽とする。また、洗濯機の排水過程では、牽引リングユニットが内槽の軸方向に運動し、牽引リングユニットが封水ユニットの運動を牽引することで、排水孔が開放されて排水するよう制御する。また、洗濯機の脱水過程では、封水ユニットが位置復帰して排水孔の閉止を維持する。
【００７２】
本実施例の水位検出装置は、封水ユニットの内部に連通している。給水過程において、牽引リングユニットが封水ユニットを内槽の軸方向に運動させて排水孔を開放するよう制御し、洗浄水が封水ユニットの内部に進入すると、水位検出装置による水位検出が実現される。
【００７３】
本実施例におけるクリーニング不要な節水洗濯機の制御方法では、洗浄／すすぎ過程において、内槽と外槽の間が無水に維持されることから、洗濯時の水の使用量が節約されるだけでなく、内槽と外槽の間における垢の繁殖が根絶される。よって、衣類の汚染が回避され、洗浄効果が向上する結果、ユーザエクスペリエンスが高まる。
【００７４】
また、排水過程では、牽引リングユニットが内槽の軸方向に運動し、牽引リングユニットが封水ユニットの運動を牽引することで、排水孔が開放されて排水するよう制御する。更に、洗浄過程における泥砂等の異物も排出可能となるため、内槽の内部が清潔に保たれる。
【００７５】
また、洗濯機の脱水過程では、封水ユニットが位置復帰して排水孔の閉止を維持することで、牽引リングユニット５００と封水カバー４００の接触による摩耗が回避される。よって、脱水過程の安定が維持されると共に、騒音の発生を根絶させられる。
【００７６】
本実施例の脱水過程では、水が内槽上方の脱水孔から遠心力により外槽１００へと吐き出され、外槽１００の排水口１０１から排出される。
【００７７】
以上は本発明の好ましい実施例にすぎず、本発明を何らかの形式に限定するものではない。本発明については好ましい実施例によって上記のように開示したが、本発明を限定するとの主旨ではなく、本発明の技術方案を逸脱しない範囲において、当業者が上記で提示した技術内容を用いて行うわずかな変形或いは補足は、同等に変形された等価の実施例とみなされる。本発明の技術方案の内容を逸脱することなく、本発明の技術的本質に基づいて上記の実施例に加えられる簡単な修正、同等の変形及び補足は、いずれも本発明の方案の範囲内とされる。
【符号の説明】
【００７８】
１００  外槽
１０１  排水口
１０２  封水凹溝
１０３  第１排水口
１０４  内槽軸装着孔
２００  内槽
２０１  環状の封水リブ
２０２  柱状の装着部材
２０３  内槽フランジ
２０４  排水孔
３００  パルセータ
４００  封水カバー
４０１  接続アーム
４０２  突設リング
４０３  上部環状内カバー体
４０５  装着孔
４０６  上部環状外カバー体
４０７  封水栓
４０８  環状の凹溝
５００  牽引リングユニット
５０１  環状体
５０２  位置規制突起
５０３  牽引ロッド
５０４  位置規制端壁
６００  封水ケースカバー
６０１  接続口
６０２  ケースカバー
７００  減速クラッチ
７０１  パルセータ軸
７０２  内槽軸
８００  排水管
９００  トラクションモーター
１０００  第１排水弁
１１００  接続管
１２００  ガス室
１２０１  ガス室ノズル
１３００  導圧管
１４００  水位センサ
１５００  電磁コイル
１６００  締結ナット
１７００  圧縮バネ
１８００  シールストリップ
１９００  コルゲート密封カバー
２０００  環状の磁性体
【図１】
2019536544.tif 000003
【図２】
2019536544.tif 000004
【図３】
2019536544.tif 000005
【図４】
2019536544.tif 000006
【図５】
2019536544.tif 000007
【図６】
2019536544.tif 000008
【図７】
2019536544.tif 000009
【図８】
2019536544.tif 000010
【図９】
2019536544.tif 000011
【図１０】
2019536544.tif 000012
【図１１】
2019536544.tif 000013
【図１２】
2019536544.tif 000014
【図１３】
2019536544.tif 000015
【国際調査報告】
2019536544.tif 000016
2019536544.tif 000017
2019536544.tif 000018
2019536544.tif 000019
2019536544.tif 000020